(57)【要約】【課題】簡単な構造で罫書き針と壁面との最短距離を常に一定にして正確に罫書き線を引くことができる罫書き具を提供することを目的としている。【解決手段】罫書き面Ｔ上に載置された状態で壁面Ｗに沿って転動する円盤部２と、この円盤部２の中心を貫通して装着される罫書き針８と、円盤部９を回転自在に支持するアーム９を備えることを特徴としている。【選択図】      図１
2006159312.tif 000002
【特許請求の範囲】
【請求項１】
罫書き面上に載置された状態で壁面に沿って転動する円盤部と、この円盤部の中心を貫通して装着される罫書き針とを備えることを特徴とする罫書き具。
【請求項２】
円盤部を回転自在に支持するアームを備えている請求項１に記載の罫書き具。
【請求項３】
アームが円盤部から水平に延びるアーム本体と、床面に受けられてアーム本体を床面と略平行に保持する支持脚とを備えている請求項１または請求項２に記載の罫書き具。
【請求項４】
アームが、罫書き針を着脱自在に形成されている請求項１〜請求項３のいずれかに記載の罫書き具。
【請求項５】
罫書き針が、アームの長手方向に複数の固定位置を備えている請求項４に記載の罫書き具。
【請求項６】
円盤部が、壁面に沿って転動する円盤と、これらの円盤を交換可能に支持する円盤支持板とを備えている請求項１〜請求項５のいずれかに記載の罫書き具。
【発明の詳細な説明】
【技術分野】
【０００１】
本発明は、ポリ塩化ビニルあるいはガラス繊維強化樹脂製シート状床材やピータイルと称される樹脂製タイル等の床装飾材の表面に罫書き線を引くのに使用される罫書き具に関する。
【背景技術】
【０００２】
建物のコンクリート床面には、一般に、ポリ塩化ビニルあるいはガラス繊維強化樹脂製シート状床材やピータイルと称される樹脂製タイル等のタイル状床材が敷設されることが多い。
【０００３】
ところで、このような床材が敷かれる建物の内壁面には、柱等の突出物が出ていて、凹凸がある場合や、壁面が直線的なものだけでなく、湾曲していたりする場合がある。したがって、床材を隙間なく敷きつめるには、床材の壁面側端部を壁面形状に沿うように切断する必要がある。
【０００４】
そこで、従来より、図８に示すような罫書き具１００を用いて床材の端部を壁面に沿う形状に切断できるように罫書き線を引き、この罫書き線に沿ってカッター等により床材の端部を切断するようにしている。
【０００５】
すなわち、この罫書き具１００は、ガイド部２００と、罫書き部３００とを備えている。
ガイド部２００は、ガイドローラ部２１０とこのガイドローラ部２１０から平行に延びる2本のスライドバー２２０とを備えている。
【０００６】
ガイドローラ部２１０は、スライドバー２２０と立体的に直交する回転軸を有するローラ２１１を先端に備えている。
罫書き部３００は、罫書き針３１０と、罫書き針支持部３２０とを備えている。
【０００７】
罫書き針支持部３２０は、２本のスライドバー２２０に、スライドバー２２０に沿ってスライド自在に支持され、固定ねじ３２１を締め込むことによってスライドバー２２０の所定位置に固定できるようになっている。
罫書き針３１０は、その先端が、スライドバー２２０とスライドバー２２０との間に臨むように罫書き針支持部３２０に支持されている。
【０００８】
そして、この罫書き具１００は、たとえば、図８に示すように、罫書かれる床材Ｔの端面を壁面Ｗに押し当てた状態で、スライドバー２２０と壁面Ｗとが所定の角度をなすようにガイドローラ部２１０のローラ２１１を壁面Ｗに当接させる。つぎに、罫書き針３１０の先端を床材Ｔの表面に押し当ててスライドバー２２０と壁面Ｗとが所定の角度を保つように支持しながら、ローラ２１１を壁面Ｗに沿って転動させて罫書き具１００を水平移動させ、床材Ｔ表面に罫書き線Ｌを引くようになっている。
【０００９】
しかし、この罫書き具１００によって罫書き線Ｌを正確に引く、すなわち、罫書き針３１０と壁面Ｗとの最短距離を常に一定にするには、上記のように、スライドバー２２０と壁面Ｗとのなす角度を常に一定に保たなければならないなため、作業に非常に熟練を要する。特に、壁面Ｗが直線的ではなく湾曲している場合、角度を一定に保つことが非常に難しい。
【００１０】
そこで、平行四辺形を形作る第1リンクアームの先端部と、同じく平行四辺形を形作る第2エインクアームの基端部とを、その相互連結板の直交し合う仮想線上に何れも枢着し、第1リンクアームの基端部を固定据付け台へ、又第2リンクアームの先端部を罫書きアーム取付板へ、何れも枢支連結する一方、その取付板へ罫書きアームの基端部を、約１８０°の一定角度範囲θに亘る回動の調整自在に枢着し、その取付板から派出する罫書きアームの先端部を尖鋭化すると共に、同じく罫書きアームの途上に倣いカッターを、その罫書きアームの長手方向に沿うスライドの調整自在に組み付けた罫書き具が提案されている（特許文献１参照）。
【００１１】
すなわち、この罫書き具によれば、2組の平行四辺形を形作るリンクアームを組み合わせることによって、罫書きアームを常に壁面に対し同じ角度を保ちながら壁面に沿って移動させることができ、上記罫書き具１００のような問題を解決することができる。
【００１２】
【特許文献１】実公平2-36841号公報
【発明の開示】
【発明が解決しようとする課題】
【００１３】
しかしながら、上記特許文献１に記載の罫書き具の場合、大掛かりなものになりコストがかかるとともに、リンクアームの稼働範囲内でしか罫書き線を引くことができないので、一度に引ける罫書き線の長さにも制約があるという問題がある。
【００１４】
本発明は、上記事情に鑑みて、簡単な構造で罫書き針と壁面との最短距離を常に一定にして正確に罫書き線を引くことができる罫書き具を提供することを目的としている。
【課題を解決するための手段】
【００１５】
上記目的を達成するために、本発明の請求項１に記載の罫書き具（以下、「請求項１の罫書き具」と記す）は、罫書き面上に載置された状態で壁面に沿って転動する円盤部と、この円盤部の中心を貫通して装着される罫書き針とを備えることを特徴としている。
【００１６】
本発明の請求項２に記載の罫書き具（以下、「請求項２の罫書き具」と記す）は、請求項１の罫書き具において、円盤部を回転自在に支持するアームを備えていることを特徴としている。
【００１７】
本発明の請求項３に記載の罫書き具（以下、「請求項３の罫書き具」と記す）は、請求項１または請求項２の罫書き具において、アームが円盤部から水平に延びるアーム本体と、床面に受けられてアーム本体を床面と略平行に保持する支持脚とを備えていることを特徴としている。
【００１８】
本発明の請求項４に記載の罫書き具（以下、「請求項４の罫書き具」と記す）は、請求項１〜請求項３のいずれかの罫書き具において、アームが、罫書き針を着脱自在に形成されていることを特徴としている。
【００１９】
本発明の請求項５に記載の罫書き具（以下、「請求項５の罫書き具」と記す）は、請求項４の罫書き具において、罫書き針が、アームの長手方向に複数の固定位置を備えていることを特徴としている。
【００２０】
本発明の請求項６に記載の罫書き具（以下、「請求項６の罫書き具」と記す）は、請求項１〜請求項５のいずれかの罫書き具において、円盤部が、円盤部が、壁面に沿って転動する円盤と、これらの円盤を交換可能に支持する円盤支持板とを備えていることを特徴としている。
本発明の罫書き具は、主にポリ塩化ビニルあるいはガラス繊維強化樹脂製シート状床材に罫書き線を引くのに用いられるが、タイル状床材やその他の板材等に罫書き線を引くのに用いるようにしても構わない。
【発明の効果】
【００２１】
請求項１の罫書き具は、以上のように、罫書き面上に載置された状態で壁面に沿って転動する円盤部と、この円盤部の中心を貫通して装着される罫書き針とを備えるので、円盤部が壁面に接している状態で罫書き針の先端と壁面との距離が常に一体となる。したがって、壁面が直線的な場合は勿論のこと、壁面が湾曲しているような場合であっても、容易にかつ正確に壁面形状に沿った罫書き線を引くことができる。しかも、構造が簡単でコストが低減できるとともに取り扱いが容易である。また、壁面に沿って円盤部を転動させていくだけの構造であるので、罫書き線を引くことができる長さにも制限がない。
【００２２】
また、請求項２の罫書き具は、円盤部を回転自在に支持するアームを備えているので、円盤部を壁面に沿わせた状態で容易に転動させることができる。
【００２３】
請求項３の罫書き具は、アームが円盤部から水平に延びるアーム本体と、罫書き面に受けられてアーム本体を罫書き面と略平行に保持する支持脚とを備えているので、よりスムーズに円盤部を壁面に沿わせた状態で容易に転動させることができる。
【００２４】
請求項４の罫書き具は、アームが、罫書き針を着脱自在に形成されているので、円盤部側を罫書き面等に押さえる等して固定し、円盤部側を中心にして他の罫書き針を装着した状態でアームを回転させれば、アームに装着された罫書き針を用いて円形の罫書き線を容易に引くことができる。
【００２５】
請求項５の罫書き具は、罫書き針が、アームの長手方向に複数の固定位置を備えているので、半径の異なる円形の罫書き線を自由に引くことができる。
【００２６】
請求項６の罫書き具は、円盤部が、円盤部が、壁面に沿って転動する円盤と、これらの円盤を交換可能に支持する円盤支持板とを備えているので、径の異なる円盤を用意しておけば、円盤を交換することによって壁面から罫書き線までの距離を変更することができる。すなわち、罫書き幅を調整することができる。
【発明を実施するための最良の形態】
【００２７】
以下に、本発明を、その実施の形態をあらわす図面を参照しつつ詳しく説明する。
図１〜図５は、本発明にかかる罫書き具の１つの実施の形態をあらわしている。
【００２８】
図１に示すように、この罫書き具１は、円盤部２と、アーム９とを備えている。
円盤部２は、図２に示すように、円盤３ａと、円盤支持板４と、罫書き針支持金具５ａと、ベアリング６と、ワッシャ７とを備えている。
【００２９】
円盤３ａは、たとえば、ポリプラスチック社の登録商標ジュラコンに代表されるアセタール樹脂で形成されていて、後述する円盤支持板４に接する面に、ベアリング６が嵌まり込む凹部３１が設けられるとともに、この凹部３１から他方の面に向かって、後述する罫書き針支持金具５ａの先端部が嵌まり込む貫通孔３２が穿設されている。また、中心から放射状に３つの皿ネジ挿通孔３３（図では１つしかあらわれていない）が穿設されている。
【００３０】
罫書き針支持金具５ａは、たとえば、真鍮等の金属で形成されていて、支持部本体５１と、固定ナット５２と、針長さ調節部５３とを備えている。
【００３１】
支持部本体５１は、一端にベアリング６の軸孔径より大径の頭部５１ａを備え、他端にベアリング６の軸孔径と略同じか少し小径の外ネジ５１ｂが設けられるとともに、中間部の外径がベアリング６の軸孔径と略同じになっている。
また、支持部本体５１は、頭部５１ａの中心に罫書き針８と略同じ径の針孔５１ｃが、他端から穿設された針長さ調節部５３の調節ねじ筒部５３ｂが螺合するように設けられたねじ孔５１ｄと連通するように穿設されている。
【００３２】
ねじ孔５１ｄと、針孔５１ｃとの間には、針孔５１ｃ側に向かって徐々に縮径するテーパ部５１ｅが形成されている。
【００３３】
固定ナット５２は、外ネジ５１ｂに螺合するようになっていて、後述するワッシャ７との間でアーム９の一部を挟着するようになっている。
【００３４】
針長さ調節部５３は、一端に操作部５３ａ、中間部にねじ筒部５３ｂ、他端のチャック部５３ｃが設けられ、操作部５３ａからチャック部５３ｃまで、内部に罫書き針８が挿通される針挿通孔５３ｄが貫通している。
【００３５】
操作部５３ａは、側面に針挿通孔５３ｄまで貫通する１つのねじ孔５３ｅが穿設されていて、セットボルト５４がこのねじ孔５３ｅに螺合している。
チャック部５３ｃは、図示していないが、針長さ調節部５３の中心軸を通る切断線に沿って切断された２つ割りになっていて、先端外周面がテーパ面５３ｆとなっている。
【００３６】
すなわち、この針長さ調節部５３は、針挿通孔５３ｄに罫書き針８を挿入し、罫書き針８の先端部がチャック部５３ｃの先端より所望の長さ（罫書きに必要な長さ）飛び出た状態にしてテーパ面５３ｆがねじ孔５１ｄのテーパ部５１ｅに受けられるまでねじ筒部５３ｂをねじ孔５１ｄにねじ込むことによって、チャック部５３ｃが縮径して罫書き針８を固定することができる。また、セットボルト５４をねじ孔５３ｅにねじ込みセットボルト５４の先端を罫書き針８の側面に圧接し、針挿通孔５３ｄの内壁面との間で罫書き針８を挟み込むことによって罫書き針８をよりしっかりと固定することができる。
【００３７】
アーム９は、ステンレス鋼板を打ち抜きおよび折り曲げ加工することによって形成されていて、アーム本体９１と支持脚９２とを備えている。
アーム本体９１は、支持脚９２と反対側の端部に支持部本体５１の外ネジ５１ｂが挿通可能な貫通孔９１ａが穿設されるとともに、貫通孔９１ａと支持脚９２との間に後述する第２の罫書き針８の罫書き針支持金具５ｂをスライド自在に支持する長孔９１ｂが穿設されている。
【００３８】
長孔９１ｂは、図１に示すように、支持脚９２側の端部が、長孔９１ｂの短径側より大きな直径をした図６および図７に示すような罫書き針支持金具５ｂの挿入孔９１ｃと連結されている。
支持脚９２は、ステンレス鋼板を断面略Ｕ字形に折り曲げ加工することによって形成されている。
【００３９】
円盤支持板４は、真鍮等の金属材料で形成されていて、円盤３ａに接する面に、ベアリング６が嵌まり込む凹部４１が設けられるとともに、この凹部３１から他方の面に向かって、ワッシャ７が遊嵌される貫通孔４２が穿設されている。また、円盤３ａの書く皿ネジ挿通孔３３に対応する位置には皿ネジ４３が螺合する３つのねじ孔４４が穿設されている。
ワッシャ７は、その外径が凹部４１の内径より小さく、その内径が外ネジ５１ｂの外径より大きくなっている。
【００４０】
罫書き針支持金具５ｂは、たとえば、真鍮等の金属で形成されていて、支持部本体５５と、罫書き針支持金具５ａと同様の固定ナット５２および針長さ調節部５３とを備えている。
支持部本体５５は、一端に挿入孔９１ｃより少し小さく、長孔９１ｂの幅より大きな頭部５５ａを有し、他端に固定ナット５２が螺合する外ネジ５５ｂが設けられるとともに、中間部に断面略コ字形をした２つの切欠５５ｃが側面に設けられて形成された長孔９１ｂの幅より少し狭い幅の長孔挿入部５５ｄを備えている。
【００４１】
また、支持部本体５５は、頭部５５ａの中心に罫書き針８と略同じ径の針孔５５ｅが、他端から穿設された針長さ調節部５３のねじ筒部５３ｂが螺合するように設けられたねじ孔５５ｆと連通するように穿設されている。
固定ナット５２および針長さ調節部５３は、罫書き針支持金具５ａの固定ナット５２および針長さ調節部５３と同様の構造になっている。
【００４２】
すなわち、この罫書き針支持金具５ｂは、頭部５５ａが切欠５５ｃが長孔９１ｂの側壁を臨む位置まで頭部５５ａを先頭にして挿入孔９１ｃに挿入したのち、長孔９１ｂの軸方向にスライドさせたのち、固定ナット５２をアーム９方向にねじ込み、固定ナット５２と切欠５５ｃの内壁面との間でアーム本体９１の一部を挟み込むことによってアーム本体９１の所望位置に固定できるようになっている。
【００４３】
そして、この罫書き具１は、以下のようにして組み立てることができる。
（１）罫書き針支持金具５ａの支持部本体５１を頭部５１ａがベアリング６の一方の側面に受けられるまで外ネジ５１ｂを先頭にしてベアリング６の軸孔に挿通嵌合させて、ベアリング６と一体化させる。
【００４４】
（２）円盤３ａの凹部３１にベアリング６の一部が嵌まり込み、頭部５１ａが貫通孔３２内に臨むように円盤３ａをセットする。
（３）円盤支持板４の凹部４１にベアリング６の残部が嵌まり込み、支持部本体５１の外ネジが貫通孔４２を介して外部に臨むとともに、ねじ孔４４が円盤３ａの皿ネジ挿通孔３３に一致するように円盤支持板４をセットし、皿ネジ挿通孔３３を介して皿ネジ４３をねじ孔４４にねじ込み、円盤３ａを円盤支持板４に固定する。
【００４５】
（４）ワッシャ７を外ネジ５１ｂに挿通した状態で、アーム９の貫通孔９１ａに外ネジ５１ｂを支持脚９２が形成された面から挿通し、外ネジ５１ｂの貫通孔３２から突出した部分に固定ナット５２を、ワッシャ７に受けられるまでねじ込む。
すなわち、アーム９は、ワッシャ７に受けられた状態で、円盤支持板４に対して非接触状態に保持され、円盤３ａおよび円盤支持板４は、ベアリング６によって支持部本体５１を中心にして回転自在となる。
（５）罫書き針８をセットした針長さ調節部５３を支持部本体５１のねじ孔５１ｄにねじ込む。
【００４６】
この罫書き具１は、以上のようになっており、図２および図３に示すように、罫書き針８の先端を罫書き線を引こうとする罫書き面となる床材Ｔの表面に受けさせ、円盤３ａを壁面Ｗに当接させるとともに、アーム９の支持脚９２を床材Ｔに受けさせた状態で、作業者が針長さ調節部５３およびアーム本体９１をそれぞれ手で持って針長さ調節部５３を床材Ｔ方向に押さえ、円盤３ａの壁面Ｗへの当接状態を保持しながら壁面Ｗに沿って移動させることによって床材Ｔ表面に引くことができる。
【００４７】
また、移動によって、円盤３ａが常に壁面Ｗに沿って転動するので、壁面Ｗから罫書き針８までの距離が常に一定状態に保たれる。したがって、壁面Ｗからの距離が一定状態の罫書き線を正確かつ容易に引くことができる。
さらに、アーム９を備えているので、作業性がよりよくなるとともに、アーム９が支持脚９２を備えているので、円盤３ａを常に同じ姿勢に保つことができる。
【００４８】
また、円盤３ａが円盤支持板４に皿ネジ４３によって固定されるようになっているので、図４に示すように、円盤３ａを直径の大きな円盤３ｂに交換することができる。
すなわち、径の異なる複数種の円盤を用意しておくことによって、１台の罫書き具１を用いて、壁面Ｗからの距離の異なる罫書き線を引くことが可能となる。
【００４９】
さらに、アーム本体９１に長孔９１ｂおよび罫書き針支持金具５ｂの挿入孔９１ｃが設けられているので、図５に示すように、円盤３ａ、円盤固定部４およびおよび針長さ調節部５３を取り除くとともに、第２の罫書き針８がセットされた罫書き針支持金具５ｂを上述したようにしてアーム９の所望位置に固定し、ベアリング６を樹脂タイルの所定位置に載置し、上から押さえた状態でベアリング６を中心にアーム９を回転させれば、第２の罫書き針８によって床材Ｔ上に円形の罫書き線を正確に引くことができる。
なお、樹脂タイルに傷が付いたりする恐れの無い場合には、円盤３ａ、円盤支持板４および針長さ調節部５３を取り除かず、罫書き針８を中心にアーム９を回転させるようにしても構わない。
【００５０】
本発明は、上記の実施の形態に限定されない。たとえば、上記の実施の形態では、円盤がアセタール樹脂で形成されていたが、他の樹脂材料で形成されていても構わないし、金属で形成されていても構わない。
【図面の簡単な説明】
【００５１】
【図１】本発明にかかる罫書き具の１つの実施の形態をあらわす斜視図である。
【図２】図１の罫書き具の要部断面図である。
【図３】図１の罫書き具の使用状態を説明する斜視図である。
【図４】図１の罫書き具の大径の円盤を装着した状態の斜視図である。
【図５】図１の罫書き具の他の使用状態を説明する斜視図である。
【図６】第２の罫書き針支持金具の斜視図である。
【図７】図６の罫書き針支持金具の断面図である。
【図８】従来の罫書き具の斜視図である。
【符号の説明】
【００５２】
Ｔ  床材（罫書き面）
Ｗ  壁面
１  罫書き具
２  円盤部
３ａ，３ｂ  円盤
４  円盤支持板
８  罫書き針
９  アーム
９１  アーム本体
９２  支持脚
【図１】
2006159312.tif 000003
【図２】
2006159312.tif 000004
【図３】
2006159312.tif 000005
【図４】
2006159312.tif 000006
【図５】
2006159312.tif 000007
【図６】
2006159312.tif 000008
【図７】
2006159312.tif 000009
【図８】
2006159312.tif 000010